(57)【要約】【課題】支持梁の組み付け作業を簡単に行うことができる自動販売機を提供すること。【解決手段】前面が開口した自動販売機本体１０の内部に配設された商品収容庫２０と、この内部に架設された商品収納ラック４０と、商品収容庫２０の側壁２０ａ，２０ｂに配設された係止部材９０と、これに係合した状態で商品収容庫２０の前面に位置し、商品収納ラック４０の下端部の前面に締結するための支持梁８０とを備えた自動販売機において、係止部材９０は、上記側壁２０ａ，２０ｂから突出した態様で前後方向に貫通する係止孔９１を有し、支持梁８０は、商品収納ラック４０の下端部の前面に対向し、該前面に締結するための前端部８１と、前端部８１に連続して形成され、係止部材９０と係合するための係合部とを備え、係合部は、支持梁８０が前方側の下方に向けて揺動した場合に、係止孔９１の前方側の開口縁下部と、係止孔９１の内表面の上部とに当接するものである。【選択図】        図１２
2005078218.tif 000002
【特許請求の範囲】
【請求項１】
前面が開口した自動販売機本体の内部に配設された商品収容庫と、
前記商品収容庫の内部に架設された商品収納ラックと、
前記商品収容庫の側壁に配設された係止部材と、
前記係止部材に係合した状態で前記商品収容庫の前面に位置し、前記商品収納ラックの下端部の前面に締結するための支持梁と
を備えた自動販売機において、
前記係止部材は、前記商品収容庫の側壁から突出した態様で前後方向に貫通する係止孔を有し、
前記支持梁は、
前記商品収納ラックの下端部の前面に対向し、該前面に締結するための前端部と、
前記前端部に連続して形成され、前記係止部材と係合するための係合部と
を備え、
前記係合部は、前記支持梁が前方側の下方に向けて揺動した場合に、前記係止孔の前方側の開口縁下部と、前記係止孔の内表面の上部とに当接することを特徴とする自動販売機。
【請求項２】
前記係合部は、
前記前端部の両端から下方に延設された下延部と、
前記下延部から後方に延設され、かつ前記係止孔を貫通する後延部と、
前記後延部から上方に延設された上延部と
を備えたことを特徴とする請求項１に記載の自動販売機。
【発明の詳細な説明】
【技術分野】
【０００１】
本発明は、自動販売機に関し、より詳細には、商品収容庫の内部に架設された商品収納ラックを支持する構造に工夫を施した自動販売機に関する。
【背景技術】
【０００２】
缶入り飲料やペットボトル入り飲料等の商品を販売する自動販売機においては、前面が開口した自動販売機本体の内部に断熱構造の商品収容庫が設けられているとともに、この商品収容庫の内部に商品を収納するための商品収納ラックが設けられており、商品収容庫の内部雰囲気を加熱、もしくは冷却することによって商品収納ラックに収納させた商品を所望の温度状態に維持するようにしている。例えばホット飲料を販売する場合には、商品収容庫の内部を加熱ヒータにより５５℃程度に加熱する一方、コールド商品を販売する場合には、商品収容庫の内部を冷却ユニットにより５℃程度に冷却しており、利用者の選択した商品をそれぞれ最適販売温度で提供するようにしている。
【０００３】
商品収納ラック４００は、図１５に示したように、例えばサーペンタイン式のラックであり、一対の側板４１０と、これら側板４１０の間に上下方向に延在する蛇行状の商品収納域（図示せず）を画成する湾曲形状の案内部材４２０と、商品収納域に連ねた商品ローディング用のトップトレー４４０と、商品収納域の下端に配設したベンド機構（図示せず）と、ベンド機構に対向する通路規制板４５０とを備えて構成してある。このような商品収納ラック４００は、側板４１０の上端部に設けた取付金具４６０を介して、自動販売機本体の上壁に敷設した支持レール部材（図示せず）に吊り下げられた状態で係止してある。
【０００４】
また、図１６に示したように、商品収納ラック４００の下端部の前面には、固定金具４９０が取り付けてある。かかる固定金具４９０の前面には、支持梁８００が商品収容庫の左右の側壁２００ａ，２００ｂの間に架け渡された状態で組み付けてある。このことについてより詳細に説明すると次のようになる。支持梁８００は、固定金具４９０に対向する前端部８１０と、該前端部８１０の両端から後方に延設された後延部８２０と、該後延部８２０の先端から下方に延設された下延部８３０と、該下延部８３０の先端から前方に延設された爪部８４０とが連続して形成されて構成してある。この爪部８４０の先端部分は、所定の角度で側壁側に屈曲してある。このような支持梁８００の爪部８４０を、商品収容庫の左右の側壁２００ａ，２００ｂの所定の位置に配設した係止部材９００の開口部９１０に進入させることにより、該支持梁８００は、商品収容庫の左右の側壁２００ａ，２００ｂの間に架け渡された状態で組み付けられている。
【０００５】
そして、支持梁８００の前端部８１０を商品収納ラック４００の固定金具４９０に締結ネジＳにより締結させることにより、商品収納ラック４００は、上部にて吊り下げ支持されるとともに、下部にて左右、前後の振れ止めがなされた状態で、商品収容庫の内部に架設されている（例えば、特許文献１）。
【０００６】
【特許文献１】特開２０００−２５９９４０号公報
【発明の開示】
【発明が解決しようとする課題】
【０００７】
ところが、上記自動販売機では、支持梁８００を商品収容庫の左右の側壁２００ａ，２００ｂの間に組み付ける場合には、次のような問題があった。つまり、図１７に示したように、支持梁８００を一度任意の角度だけ傾けて爪部８４０を係止部材９００の開口部９１０の上方に位置させ、図中の矢印の方向に徐々に傾けて起立させていき、爪部８４０および下延部８３０を開口部９１０から内部に進入させることにより、支持梁８００と係止部材９００とを係合させていた。そのため、作業者は、支持梁８００の爪部８４０および下延部８３０が係止部材９００の開口部９１０から内部に進入するために支持梁８００を必要な角度だけ傾ける必要があり、しかも爪部８４０が開口部９１０の上方に位置することを目視しながら確認しなければならなかったので、支持梁８００の組み付け作業は煩わしいものであった。
【０００８】
本発明は、上記実情に鑑みて、支持梁の組み付け作業を簡単に行うことができる自動販売機を提供することを目的とする。
【課題を解決するための手段】
【０００９】
上記目的を達成するために、本発明の請求項１に係る自動販売機は、前面が開口した自動販売機本体の内部に配設された商品収容庫と、前記商品収容庫の内部に架設された商品収納ラックと、前記商品収容庫の側壁に配設された係止部材と、前記係止部材に係合した状態で前記商品収容庫の前面に位置し、前記商品収納ラックの下端部の前面に締結するための支持梁とを備えた自動販売機において、前記係止部材は、前記商品収容庫の側壁から突出した態様で前後方向に貫通する係止孔を有し、前記支持梁は、前記商品収納ラックの下端部の前面に対向し、該前面に締結するための前端部と、前記前端部に連続して形成され、前記係止部材と係合するための係合部とを備え、前記係合部は、前記支持梁が前方側の下方に向けて揺動した場合に、前記係止孔の前方側の開口縁下部と、前記係止孔の内表面の上部とに当接することを特徴とする。
【００１０】
また、本発明の請求項２に係る自動販売機は、上記請求項１において、前記係合部は、前記前端部の両端から下方に延設された下延部と、前記下延部から後方に延設され、かつ前記係止孔を貫通する後延部と、前記後延部から上方に延設された上延部とを備えたことを特徴とする。
【発明の効果】
【００１１】
本発明の請求項１に記載の自動販売機によれば、係止部材の係止孔が前後方向に貫通してあるので、支持梁を何ら傾けることなく前方から進入させることができ、しかも支持梁が前方側の下方に向けて揺動した場合でも、係合部が、係止孔の前方側の開口縁下部と、該係止孔の内表面の上部とに当接することにより、支持梁は係止部材に係合して落下する虞れはない。従って、支持梁の組み付け作業を簡単に行うことができるという効果を奏する。
【００１２】
また、本発明の請求項２に記載の自動販売機によれば、係止部材の係止孔が前後方向に
貫通してあるので、支持梁を何ら傾けることなく前方から進入させることができ、しかも支持梁が前方側の下方に向けて揺動した場合でも、後延部が係止孔の前方側の開口縁下部に当接し、かつ上延部が係止孔の内表面の上部に当接することにより、支持梁は係止部材に係合して落下する虞れはない。従って、支持梁の組み付け作業を簡単に行うことができるという効果を奏する。
【発明を実施するための最良の形態】
【００１３】
以下に添付図面を参照して、本発明に係る自動販売機の好適な実施例について詳細に説明する。尚、この実施例により本発明が限定されるものではない。
【実施例】
【００１４】
図１は、本発明の実施例に係る自動販売機を概念的に示したものである。ここで例示する自動販売機は、缶入り飲料やペットボトル入り飲料等の商品を冷却、もしくは加熱した状態で販売するもので、自動販売機本体１０を備えている。
【００１５】
自動販売機本体１０は、図２に示すように、複数の金属板を適宜組み合わせることによって構成したもので、前面が開口した箱状に構成してある。より具体的には、上壁１１、一対の側壁１２、底壁１３、背壁１４を接合することによって箱状の自動販売機本体１０を構成するようにしている。一対の側壁１２は、それぞれ底壁１３よりも下方に延在しており、互いの間に台座壁１５を接合してある。
【００１６】
自動販売機本体１０には、その内部に断熱構造の商品収容庫２０が設けてある。本実施例では、図２に示すように、上壁１１、一対の側壁１２、底壁１３、背壁１４の内壁面にそれぞれ予め板状に成形した断熱ボード２１を配設することにより、これら断熱ボード２１によって囲まれる空間に商品収容庫２０を構成するようにしている。断熱ボード２１は、図には明示していないが、発泡ウレタン等の断熱材によって成形した板状部材の表裏両面にそれぞれ面材として樹脂フィルムやクラフト紙を貼着したものである。
【００１７】
この商品収容庫２０の内部には、図３〜図５に示すように、上端部に前方フレーム材２２および後方フレーム材２３を介して複数のラック支持フレーム３０が左右方向に沿って並設してある。
【００１８】
ラック支持フレーム３０は、後述する商品収納ラック４０を保持するためのもので、それぞれが一対の縦フレーム材３１の間に複数の横フレーム材３２を架設することによって予め格子状に構成してある。
【００１９】
縦フレーム材３１は、図５に示すように、長尺平板状の縦材水平部３１ａと、縦材水平部３１ａの一端縁部から直角に屈曲した長尺平板状の縦材垂下部３１ｂとを有したもので、横断面がＬ字状を成している。縦フレーム材３１における縦材水平部３１ａの前端部には、それぞれネジ孔３１ｃが設けてある。各ラック支持フレーム３０の縦フレーム材３１は、互いに縦材水平部３１ａの他端縁を対向させる態様で相互に平行に配設してある。
【００２０】
それぞれの縦フレーム材３１の後端部には、規制手段として載置部３１ｄおよび係合部３１ｅが設けてある。載置部３１ｄは、図６の（ａ）に示すように、縦材垂下部３１ｂの下縁よりも上方となる位置に設けた下方に向く下面である。係合部３１ｅは、載置部３１ｄよりも後方側に位置する部位から下方に向けて突設した舌片状部分である。これら載置部３１ｄおよび係合部３１ｅは、いずれも縦フレーム材３１の縦材垂下部３１ｂと同一の板厚に構成してある。
【００２１】
横フレーム材３２は、長尺平板状の横材水平部３２ａと、横材水平部３２ａの一端縁部から直角に屈曲した長尺平板状の横材垂下部３２ｂと、横材垂下部３２ｂの延在縁部から横材水平部３２ａに対して平行に延在した後に該横材水平部３２ａに向けて直角に屈曲した係止部３２ｃとを有したもので、横材水平部３２ａの各端部をそれぞれ縦フレーム材３１における縦材水平部３１ａの上面に接合させ、互いに平行となる態様で一対の縦フレーム材３１に接合してある。
【００２２】
尚、本実施例では、互いに左右幅の異なる３種類のラック支持フレーム３０を備えるものを例示している。これら３種類のラック支持フレーム３０は、横フレーム材３２の長さのみが異なるもので、個々の詳細構成は互いに同一である。
【００２３】
ラック支持フレーム３０を保持する前方フレーム材２２および後方フレーム材２３は、金属によって成形した長尺部材であり、それぞれ複屈曲した横断面形状を成している。具体的には、長尺平板状を成す基部２２ａ，２３ａと、基部２２ａ，２３ａの両側縁部からそれぞれ同一方向に向けて直角に屈曲した長尺平板状を成す一対の側部２２ｂ，２３ｂと、各側部２２ｂ，２３ｂの延在縁部から互いに離隔する方向に向けて直角に屈曲した長尺平板状を成す一対のフランジ部２２ｃ，２３ｃとを有し、横断面がいわゆるハット形状と称される前方フレーム材２２および後方フレーム材２３を構成してある。
【００２４】
前方フレーム材２２は、フランジ部２２ｃを介して上壁１１の前縁部下面に接合してあり、該上壁１１の下面から下方に向けて突出するとともに、左右方向に沿って延在している。後方フレーム材２３は、フランジ部２３ｃを介して背壁１４の上縁部前面に接合してあり、該背壁１４の前面から前方に向けて突出するとともに、左右方向に沿って延在している。前方フレーム材２２の後方側に位置する側部２２ｂと後方フレーム材２３の基部２３ａとの間には、上述したラック支持フレーム３０の縦フレーム材３１よりも短い長さが確保してある。
【００２５】
尚、前方フレーム材２２および後方フレーム材２３を自動販売機本体１０に接合する方法としては、例えば溶接やネジ止めを適用すれば良い。これらの接合方法は、いずれか一方を適用しても良いし、両者を併用するようにしても良い。
【００２６】
これら前方フレーム材２２および後方フレーム材２３には、互いに対応する部位にスリット２２ｄ，２３ｄが設けてある。
【００２７】
前方フレーム材２２に設けたスリット（以下、単に前方スリット２２ｄという）は、図７に示すように、後方側に位置する側部２２ｂに設けた矩形開口部２２ｄ１と、該水平挿入部に連続する態様で基部２２ａに設けた溝状部２２ｄ２とを有するもので、３つのラック支持フレーム３０を並設した場合に、それぞれの縦フレーム材３１に対応する位置に形成してある。前方スリット２２ｄの矩形開口部２２ｄ１は、縦フレーム材３１の縦材水平部３１ａを挿入することのできる大きさを有している。前方スリット２２ｄの溝状部２２ｄ２は、縦フレーム材３１の縦材水平部３１ａを矩形開口部２２ｄ１に挿入した際に縦材垂下部３１ｂを挿入することのできる大きさおよび位置に前後方向に沿って設けてある。この溝状部２２ｄ２は、図６の（ａ）に示すように、縦フレーム材３１の縦材垂下部３１ｂを前端部まで挿入した場合に、縦フレーム材３１の後端部を後方フレーム材２３から離隔させるだけの長さを有している。
【００２８】
後方フレーム材２３に設けたスリット（以下、単に後方スリット２３ｄという）は、図８に示すように、基部２３ａと上方側に位置する側部２３ｂとに亘る部位に溝状に設けたもので、縦フレーム材３１の縦材垂下部３１ｂを挿入することのできる大きさに形成してある。
【００２９】
また、図７に示すように、前方フレーム材２２の基部２２ａには、前方スリット２２ｄにおける矩形開口部２２ｄ１の前方となる位置にそれぞれネジ挿通孔２２ｅが設けてある一方、後方フレーム材２３のフランジ部２３ｃには、図３に示すように、ナット部材２３ｅが設けてある。ネジ挿通孔２２ｅは、ラック支持フレーム３０の縦フレーム材３１を後方フレーム材２３との間に掛け渡した際に、該縦フレーム材３１のネジ孔３１ｃに対応する部位に設けたものである。ナット部材２３ｅは、自動販売機を設置する際に、転倒防止用ボルトＢを螺合するためのもので、後方フレーム材２３の両端部に溶着してある。
【００３０】
上述した前方フレーム材２２および後方フレーム材２３との間にラック支持フレーム３０を保持させる場合には、図６の（ａ）に示すように、まず、各縦フレーム材３１の前端部を前方フレーム材２２の前方スリット２２ｄに挿入し、縦フレーム材３１の後端部を後方フレーム材２３から離隔した位置に配置させる。
【００３１】
この状態から、図６の（ｂ）に示すように、縦フレーム材３１の後端部に設けた係合部３１ｅを後方フレーム材２３の後方スリット２３ｄに挿入し、その後、図６の（ｃ）に示すように、係合部３１ｅを後方フレーム材２３の内部に位置させるとともに、載置部３１ｄを介して縦フレーム材３１の後端部を後方フレーム材２３に載置させる。
【００３２】
図６の（ｃ）に示す状態においては、縦フレーム材３１の後端部を後方フレーム材２３の後方スリット２３ｄから脱落する方向へ移動させようとした場合、当該縦フレーム材３１の係合部３１ｅが後方フレーム材２３の基部２３ａに当接係合することによってその移動が阻止されることになる。一方、縦フレーム材３１の前端部を前方フレーム材２２の前方スリット２２ｄから脱落する方向へ移動させようとした場合には、縦フレーム材３１の縦材垂下部３１ｂが後方フレーム材２３の基部２３ａに当接することによってその移動が阻止されることになる。従って、図６の（ｃ）に示す状態においては、ラック支持フレーム３０から手を離し、かつ振動や衝撃が加えられた場合にも、ラック支持フレーム３０が不用意に脱落する虞れはない。
【００３３】
最後に、前方フレーム材２２のネジ挿通孔２２ｅを通じて縦フレーム材３１のネジ孔３１ｃに固定ネジ２４を螺合させれば、前方フレーム材２２および縦フレーム材３１の互いに重なり合う重合部分が相互に固定され、ラック支持フレーム３０を自動販売機本体１０における上壁１１の下面から離隔する態様で商品収容庫２０の内部に取り付けることが可能となる。
【００３４】
これらの間、上記自動販売機によれば、縦フレーム材３１と横フレーム材３２とを予め格子状に構成してあるため、一度の操作によって一対の縦フレーム材３１を前方フレーム材２２と後方フレーム材２３との間に架設することが可能となる。さらに、上述したように、縦フレーム材３１の両端部をそれぞれ前方フレーム材２２の前方スリット２２ｄおよび後方フレーム材２３の後方スリット２３ｄに挿入載置させれば、不用意な脱落を招来することなく、ラック支持フレーム３０を仮に組み付けることが可能となる。これらの結果、ラック支持フレーム３０の取付作業をきわめて容易に行うことができるようになる。
【００３５】
このようにして商品収容庫２０の内部に配設されたラック支持フレーム３０には、図９に示すように、隣接するラック支持フレーム３０の相互間に断熱仕切板５０が配設してある。つまり、隣接するラック支持フレーム３０の間には、縦フレーム材３１の縦材垂下部３１ｂが対向して配置されることになり、これら縦材垂下部３１ｂの相互間に断熱仕切板５０の上端部が挟装保持されることになる。断熱仕切板５０は、商品収容庫２０の内部に複数の室を画成するためのもので、断熱ボードの適宜箇所に金属製の補強金具を取り付けることによって構成してある。図には明示していないが、本実施例では、断熱ボードの下方部、上縁部にそれぞれ上縁補強金具を取り付けた２枚の断熱仕切板５０を配設することによって商品収容庫２０の内部に３つの独立した室を画成するようにしている。
【００３６】
断熱仕切板５０によって画成されたそれぞれの室には、商品収納ラック４０が配設してある。商品収納ラック４０は、図１０に示したように、一対の側板４１と、これら側板４１の間に上下方向に延在する蛇行状の商品収納域４３を画成する湾曲形状の案内部材４２と、商品収納域４３に連ねた商品ローディング用のトップトレー４４と、商品収納域４３の下端に配設したベンド機構（図示せず）と、ベンド機構に対向する通路規制板４５とを備えて構成してある。このような商品収納ラック４０は、商品収納域４３に商品を収納する一方、商品払出指令が与えられた場合に対応する商品の払い出しを行う。本実施例では、それぞれの室に複数の商品収納域４３を有した商品収納ラック４０を前後に配設するようにしている。
【００３７】
それぞれの商品収納ラック４０は、側板４１の上端部に設けた取付金具４６をラック支持フレーム３０の横フレーム材３２に係止させ、さらにこれら取付金具４６およびラック支持フレーム３０の横フレーム材３２をネジ４７によって互いに螺着することにより、ラック支持フレーム３０に吊下保持させてある。
【００３８】
また、図１１に示したように、商品収納ラック４０の下端部の前面には、固定金具４９が取り付けてある。かかる固定金具４９の前面には、支持梁８０が商品収容庫２０のそれぞれの室の側壁２０ａ，２０ｂの間に架け渡された状態で組み付けてある。このことについてより詳細に説明すると次のようになる。
【００３９】
支持梁８０は、固定金具４９に対向する前端部８１と、この前端部８１の両端から下方に延設された下延部８２と、この下延部８２の先端から後方に延設された後延部８３と、この後延部８３の先端から上方に延設された上延部８４とが連続して形成されて構成してある。
【００４０】
その一方、商品収容庫２０における各室の両側壁２０ａ，２０ｂの内表面の所定個所には、係止部材９０が配設してある。かかる係止部材９０は、各側壁２０ａ，２０ｂの内表面から突出した態様で前後方向に貫通する係止孔９１を有している。
【００４１】
ここで、支持梁８０と係止部材９０との関係について述べることにする。図１２に示したように、支持梁８０の下延部８２の先端部分から上延部８４の先端部分までの直線距離Ｌは、係止部材９０の係止孔９１の開口部の縦径Ｒよりも大きくしてある。また、支持梁８０の上延部８４の長さは、係止孔９１の開口部の縦径Ｒよりも小さくしてある。
【００４２】
支持梁８０の後延部８３および上延部８４を、図１３に示したように、係止部材９０の係止孔９１に前方から挿通させ、その状態を維持して支持梁８０を上方に移動させる。このような状態で作業者が支持梁８０から手を離して該支持梁８０が前方側の下方に向けて揺動した場合でも、すなわち支持梁８０がフリーな状態になって該支持梁８０が前方側の下方に向けて揺動した場合でも、上記直線距離Ｌが上記縦径Ｒよりも大きいので、図１４に示したように、該支持梁８０の後延部８３が係止孔９１の前方側の開口縁下部に当接し、かつ上延部８４が該係止孔９１の後方側の開口延上部に当接することにより、両者は係合して支持梁８０が落下する虞れはない。このように支持梁８０と係止部材９０が係合することにより、支持梁８０は、商品収容庫２０のそれぞれの室の側壁２０ａ，２０ｂの間に架け渡された状態で組み付けられることになる。
【００４３】
そして、支持梁８０の前端部８１を商品収納ラック４０の固定金具４９に締結ネジＳにより締結させることにより、商品収納ラック４０は、上部にて吊り下げ支持されるとともに、下部にて左右、前後の振れ止めがなされた状態で、商品収容庫４０の内部に架設される。
【００４４】
尚、図１中の符号４８は、商品収納ラック４０から払い出された商品を案内するべく室の後方から前方に向けて低く傾斜するように配設した商品シュータである。また、図には明示していないが、各室の内部において商品シュータ４８より下方となる領域には、商品収納ラック４０に収納した商品を所望の温度に維持するための冷却ユニットや加熱ヒータが設けてある。
【００４５】
一方、上記自動販売機には、図１に示すように、外扉６０、並びに本発明の扉体である内扉７０が設けてある。外扉６０は、自動販売機本体１０の前面開口を覆うためのもので、外扉６０の一側縁部に開閉可能に配設してある。図には明示していないが、この外扉６０の前面には、商品を販売する際に必要となるディスプレイウィンドウ、商品選択押ボタン、紙幣挿通口、硬貨投入口、返却レバー、金額表示器、硬貨返却口、商品取出口６１が設けてある。
【００４６】
内扉７０は、外扉６０の上部内面に設けた断熱体６２とともに商品収容庫２０の前面を覆うためのもので、外扉６０よりも内方となる位置において自動販売機本体１０の一側縁部に開閉可能に配設してある。この内扉７０は、商品収容庫２０の各室に対応した下端部に商品搬出口扉７１を備えた商品搬出口７２を備えており、商品収納ラック４０から商品が商品シュータ４８に払い出された場合に商品搬出口７２を通じて商品を外部に搬出することが可能である。
【００４７】
以上のような構成の自動販売機によれば、係止部材９０の係止孔９１が前後方向に貫通してあるので、支持梁８０を何ら傾けることなく前方から進入させることができる。また、支持梁８０の下延部８２の先端部分から上延部８４の先端部分までの直線距離Ｌが、係止部材９０の係止孔９１の開口部の縦径Ｒよりも大きくしてあるので、該支持梁８０がフリーな状態になっても、後延部８３が係止孔９１の前方側の開口縁下部に当接し、かつ上延部８４が該係止孔９１の後方側の開口延上部に当接することにより、支持梁８０は係止部材９０に係合して落下する虞れはない。従って、支持梁８０の組み付け作業を簡単に行うことができる。
【００４８】
また、上記自動販売機によれば、自動販売機本体１０の内壁面に前方フレーム材２２および後方フレーム材２３を突設し、これら前方フレーム材２２および後方フレーム材２３を介して自動販売機本体１０の上壁１１から離隔する態様でラック支持フレーム３０を配設しているため、内箱を要することなく断熱構造の商品収容庫２０を構成することができるとともに、商品収納ラック４０を保持することができる。また、商品収納ラック４０を保持するラック支持フレーム３０は、断熱仕切板５０によって仕切られた室ごとに分割構成されたものであるため、これらが熱の移動経路となることもない。従って、例えば商品収容庫２０の内部において商品を加熱している室と、商品を冷却している室との間での熱の授受を可及的に抑制することができ、消費電力を著しく低減することが可能となる。
【００４９】
以上、本発明の実施例について説明したが、本発明はこれに限定されるものではなく、種々の変更を行うことができる。例えば、上記の実施例においては、支持梁８０がフリーな状態になった場合に、上延部８４が係止孔９１の後方側の開口縁上部に当接していたが、本発明では、上延部８４の先端部分が係止孔９１の内表面の上部に当接しても良い。これによっても、上記実施例と同様の作用効果を奏することができる。
【産業上の利用可能性】
【００５０】
以上のように、本発明に係る自動販売機は、例えば缶入り飲料、瓶入り飲料、紙パック入り飲料およびペットボトル入り飲料等の各種商品を冷却した状態、あるいは加温した状態で販売に有用である。
【図面の簡単な説明】
【００５１】
【図１】本発明の実施例である扉体を適用した自動販売機を概念的に示す斜視図である。
【図２】図１に示した自動販売機の外扉および商品収容庫の構成を示す概念図である。
【図３】図１に示した自動販売機の要部断面側面図である。
【図４】図１に示した自動販売機に適用されるラック支持フレームの取付構造を示す斜視図である。
【図５】図１に示した自動販売機に適用されるラック支持フレームを上方側から見た斜視図である。
【図６】図１に示した自動販売機においてラック支持フレームの取付手順を示す概念図である。
【図７】図１に示した自動販売機においてラック支持フレームの前端部と前方フレーム材との接続状態を示す拡大斜視図である。
【図８】図１に示した自動販売機においてラック支持フレームの後端部と後方フレーム材との接続状態を示す拡大斜視図である。
【図９】図１に示した自動販売機に適用されるラック支持フレームを下方側から見た斜視図である。
【図１０】図３に示した商品収納ラックを示した斜視図である。
【図１１】図１０に示した商品収納ラックの要部を示した分解斜視図である。
【図１２】図１１に示した支持梁および係止部材を示した説明図である。
【図１３】支持梁と係止部材との係合について示した説明図である。
【図１４】支持梁と係止部材との係合について示した説明図である。
【図１５】従来の自動販売機を構成する商品収納ラックを示した斜視図である。
【図１６】図１５に示した商品収納ラックの要部を示した分解斜視図である。
【図１７】支持梁と係止部材との係合について示した説明図である。
【符号の説明】
【００５２】
１０      自動販売機本体
１１      上壁
１２      側壁
１３      底壁
１４      背壁
１５      台座壁
２０      商品収容庫
２１      断熱ボード
２２      前方フレーム材
２２ａ      基部
２２ｂ      側部
２２ｃ      フランジ部
２２ｄ      前方スリット
２２ｄ１      矩形開口部
２２ｄ２      溝状部
２２ｅ      ネジ挿通孔
２３      後方フレーム材
２３ａ      基部
２３ｂ      側部
２３ｃ      フランジ部
２３ｄ      後方スリット
２３ｅ      ナット部材
２４      固定ネジ
３０      ラック支持フレーム
３１      縦フレーム材
３１ａ      縦材水平部
３１ｂ      縦材垂下部
３１ｃ      ネジ孔
３１ｄ      載置部
３１ｅ      係合部
３２      横フレーム材
３２ａ      横材水平部
３２ｂ      横材垂下部
３２ｃ      係止部
４０      商品収納ラック
４１      側板
４２      案内部材
４３      商品収納域
４４      トップトレー
４５      通路規制板
４６      取付金具
４７      ネジ
４８      商品シュータ
４９      固定金具
５０      断熱仕切板
６０      外扉
６１      商品取出口
６２      断熱体
７０      内扉
７１      商品搬出口扉
７２      商品搬出口
７３      扉本体
８０      支持梁
８１      前端部
８２      下延部
８３      後延部
８４      上延部
９０      係止部材
９１      係止孔
Ｂ      転倒防止用ボルト
【図１】
2005078218.tif 000003
【図２】
2005078218.tif 000004
【図３】
2005078218.tif 000005
【図４】
2005078218.tif 000006
【図５】
2005078218.tif 000007
【図６】
2005078218.tif 000008
【図７】
2005078218.tif 000009
【図８】
2005078218.tif 000010
【図９】
2005078218.tif 000011
【図１０】
2005078218.tif 000012
【図１１】
2005078218.tif 000013
【図１２】
2005078218.tif 000014
【図１３】
2005078218.tif 000015
【図１４】
2005078218.tif 000016
【図１５】
2005078218.tif 000017
【図１６】
2005078218.tif 000018
【図１７】
2005078218.tif 000019